(57)【要約】【課題】従来のチューナでは、ＡＧＣ電圧を入力することにより、入力段同調フィルタの中心周波数が遷移し、希望信号が抑圧されるという問題が生じていた。【解決手段】本発明のチューナは、アンテナ（１）で受信した信号強度を調整するＡＧＣ回路（２）と、ＡＧＣ回路の出力信号を入力し、所望の周波数を選択する入力段同調フィルタ（３）と、入力段同調フィルタ（３）の出力レベルを検波する検波回路（６）と、検波したレベルに応じてＡＧＣ回路に入力する電圧を調整するＡＧＣ電圧設定回路（７）と、受信周波数情報に従って入力段同調フィルタに入力する入力同調電圧を決定するＤ／Ａ変換回路(１０)と、ＡＧＣ電圧に従って入力同調電圧を調整する計算部（９）と、を有することを特徴とする。【選択図】図１
2009206578.tif 000002
【特許請求の範囲】
【請求項１】
アンテナで受信した信号強度を調整するＡＧＣ回路と、
前記ＡＧＣ回路の出力信号を入力し、所望の周波数を選択する入力段同調フィルタと、
前記入力段同調フィルタの出力レベルを検波する検波回路と、
前記検波したレベルに応じて前記ＡＧＣ回路に入力する電圧を調整するＡＧＣ電圧設定回路と、
受信周波数情報に従って前記入力段同調フィルタに入力する入力同調電圧を決定するＤ／Ａ変換回路と、
前記ＡＧＣ電圧に従って前記入力同調電圧を調整する計算部と、
を有することを特徴とするチューナ。
【請求項２】
前記ＡＧＣ電圧に応じた前記入力同調電圧に関するデータを保存したメモリをさらに有することを特徴とする請求項１に記載のチューナ。
【請求項３】
前記入力同調電圧に関するデータは、前記ＡＧＣ電圧によって前記入力同調フィルタの中心周波数が遷移する電圧であることを特徴とする請求項２に記載のチューナ。
【請求項４】
受信信号を局部発信器の信号と混合し、所定の中間周波数信号に変換して出力するミキサと、
前記中間周波数信号を増幅する中間周波増幅器と、
前記中間周波増幅器の出力のレベルを検出する第２検波回路と、
前記第２検波回路の出力からＳメータ成分出力を得て、前記Ｓメータ成分に基づいて、Ｄ／Ａ変換回路の出力電圧を調整する演算回路をさらに有することを特徴とする請求項１に記載のチューナ。
【請求項５】
前記第２検波回路のＡＣ成分を検出するハイパスフィルタと、
前記ハイパスフィルタの出力が所定の閾値を超えた場合に前記演算回路の機能を停止する第３検波回路をさらに有することを特徴とする請求項４に記載のチューナ。
【発明の詳細な説明】
【技術分野】
【０００１】
本発明は、チューナに関し、特にＡＧＣ（自動利得制御）を行なっても、希望信号の抑圧を防止することができるチューナに関する。
【背景技術】
【０００２】
従来のチューナにおいてはチューナに入力される信号成分を検出し、過大な妨害入力信号を抑圧するためにＡＧＣ（自動利得制御）をかけ、歪による性能悪化を防止している（例えば、特許文献１）。図１に、従来のチューナのブロック部を示す。まず、アンテナ１で受信した信号が、ＡＧＣ回路２に入力される。ＡＧＣ回路２は、入力信号のレベルの大小にかかわらず出力を常に一定に保つための補助回路であって、入力信号が弱い場合には感度を上げ、逆に入力信号が強い場合には感度を下げて出力することによって、出力が常に一定であるように入力信号を可変制御するものである。
【０００３】
ＡＧＣ回路２で制御された信号は、入力段同調フィルタ３に入力される。入力段同調フィルタ３は、可変容量ダイオードを備えており、受信周波数情報（後述）にしたがって、希望する受信周波数信号を得ることができる。次に、受信周波数から中間周波数を得るために、受信信号と局部発信器４の信号とをミキサ５で混合し、所定の中間周波数信号に変換する。中間周波数に変換する目的は、低い周波数に変換することによって安定して大きな増幅を行なうためである。
【０００４】
また、受信信号の一部は第１検波回路６に入力されて、受信信号の出力レベルを検出する。この第１検波回路６の出力信号は、ＡＧＣ電圧設定回路７に入力され、ＡＧＣ回路２に入力するＡＧＣ電圧を設定する。
【０００５】
また、マイコン８には受信周波数情報が入力され、マイコン８内の計算部９で受信周波数情報に対応した制御信号を算出し、Ｄ／Ａ変換回路１０に出力する。Ｄ／Ａ変換回路１０では、入力段同調フィルタ３の可変容量ダイオードに入力する電圧（入力同調電圧）を制御し、所望の周波数信号を得ている。
【０００６】
【特許文献１】特開昭６２−８６１２号公報
【発明の開示】
【発明が解決しようとする課題】
【０００７】
しかしながら、従来のチューナでは、ＡＧＣ電圧を入力することにより、入力段同調フィルタの中心周波数が遷移し、希望信号が抑圧されるという問題が生じていた。この問題点について、図２を用いて説明する。図２（ａ）は、ＡＧＣをかけない場合の入力段同調フィルタの出力信号の周波数特性を示す。ｆｄは希望信号周波数、ｆｕは妨害信号周波数であって、入力段同調フィルタの出力信号の周波数特性は、中心周波数がｆｄにほぼ一致していることがわかる。一方、図２（ｂ）は、ＡＧＣをかけた場合の入力段同調フィルタの出力信号の周波数特性を示す。同図に示すように、ＡＧＣ電圧により入力段同調フィルタの出力信号の中心周波数が遷移し、希望信号周波数ｆｄにおける出力がP0からP1へ抑圧してしまうという問題が生じていた。
【０００８】
本発明は、ＡＧＣをかけた場合に生じる希望信号の抑圧を改善することができるチューナを提供することを目的とする。
【課題を解決するための手段】
【０００９】
本発明のチューナは、アンテナで受信した信号強度を調整するＡＧＣ回路と、前記ＡＧＣ回路の出力信号を入力し、所望の周波数を選択する入力段同調フィルタと、前記入力段フィルタの出力レベルを検波する検波回路と、前記検波したレベルに応じて前記ＡＧＣ回路に入力する電圧を調整するＡＧＣ電圧設定回路と、受信周波数情報に従って前記入力段同調フィルタに入力する入力同調電圧を決定するＤ／Ａ変換回路と、前記ＡＧＣ電圧に従って前記入力同調電圧を調整する計算部と、を有することを特徴とする。
【発明の効果】
【００１０】
本発明に係るチューナでは、ＡＧＣをかけた信号を入力段同調フィルタに入力しても、希望信号の抑圧を改善することができ、妨害信号に対するＳ／Ｎ比を高くすることができる。
【発明を実施するための最良の形態】
【００１１】
以下図面を参照して、本発明に係るチューナについて説明する。ただし、本発明の技術的範囲はそれらの実施の形態には限定されず、特許請求の範囲に記載された発明とその均等物に及ぶ点に留意されたい。
【実施例１】
【００１２】
図３に本発明の実施例１にかかるチューナのブロック図を示す。図１に示した従来のチューナと同一の構成要素には同一の符号を付している。まず、アンテナ１で受信した信号がＡＧＣ回路２に入力され、ＡＧＣ回路２で制御された信号は、入力段同調フィルタ３に入力される。次に、受信周波数から中間周波数を得るために、受信信号と局部発信機４の信号とをミキサ５で混合し、所定の中間周波数信号に変換する。
【００１３】
また、受信信号の一部はレベル検波回路６に入力されて、受信信号の出力レベルを検出する。この第１検波回路６の出力信号は、ＡＧＣ電圧設定回路７に入力され、ＡＧＣ回路２に入力するＡＧＣ電圧を設定する。
【００１４】
また、マイコン８には受信周波数情報が入力され、マイコン８内の計算部９で、Ｄ／Ａ変換回路１０に制御信号を出力する。Ｄ／Ａ変換回路１０では、入力段同調フィルタ３の可変容量ダイオードに入力する入力同調電圧を制御し、所望の周波数信号を得ている。
【００１５】
ここで、本発明の実施例１にかかるチューナは、ＡＧＣ電圧設定回路７の出力のＡＧＣ電圧をマイコン８に入力するとともに、このＡＧＣ電圧とＤ／Ａ変換回路が出力する入力同調電圧とを関連付けたテーブルを記憶したメモリ１３をマイコンと接続する。即ち、ＡＧＣ電圧によって入力段同調フィルタの中心周波数が遷移する量を予め計算しておき、これをＥＥＰＲＯＭ等からなるメモリに記憶しておく。そして、マイコン８内の計算部９において、個々のＡＧＣ電圧に対して、入力段同調フィルタに入力する最適な入力同調電圧を上記のテーブルから選択する。図４に、メモリ１３に記憶したＡＧＣ電圧と入力同調電圧との対応テーブルの例を示す。
【００１６】
次に、計算部９からの信号に基づいてＤ／Ａ変換回路で、ＡＧＣ電圧に応じた電圧をＤ／Ａ変換し、入力段同調フィルタの可変容量ダイオードに与える。図５を用いて、実施例１の発明による希望信号の抑圧の改善効果について説明する。図５（ａ）は、単純にＡＧＣをかけた電圧を入力段同調フィルタに入力した場合の周波数特性である。上述したように、希望信号周波数ｆｄにおける出力がP0からP1へ抑圧されてしまう。一方、図５（ｂ）は、実施例１の発明によって、ＡＧＣ電圧に応じて入力同調電圧を制御した場合の周波数特性を示す。入力段同調フィルタの可変容量ダイオードに入力する電圧を制御することにより、出力電圧の中心周波数をほぼｆｄと一致させることができ、ｆｄにおける出力はP2（P2 > P1）であり、ＡＧＣによる抑圧は改善できていることがわかる。上記の通り、実施例１に記載したチューナを用いることによりＡＧＣをかけた場合であっても、希望信号周波数における出力電圧の抑圧を改善することができ、妨害信号に対するＳ／Ｎ比を高くすることができる。
【実施例２】
【００１７】
次に実施例２について説明する。実施例２では、実施例１のようにメモリに記憶したテーブルを用いて入力同調電圧を制御するのではなく、Ｓメータ電圧によって入力同調電圧を制御する点を特徴としている。図６に本発明の実施例２のチューナのブロック図を示す。図３に示した実施例１のチューナと同一の構成要素には同一の符号を付している。
まず、アンテナ１で受信した信号が、ＡＧＣ回路２に入力され、ＡＧＣ回路２で制御された信号は、入力段同調フィルタ３に入力される。次に、受信周波数から中間周波数を得るために、受信信号と局部発信機４の信号とをミキサ５で混合し、所定の中間周波数信号に変換する。
【００１８】
また、受信信号の一部はレベル検波回路６に入力されて、受信信号の出力レベルを検出する。このレベル検波回路６の出力信号は、ＡＧＣ電圧設定回路７に入力され、ＡＧＣ回路２に入力するＡＧＣ電圧を設定する。
【００１９】
また、マイコン８には受信周波数情報が入力され、マイコン８内の計算部９で、Ｄ／Ａ変換回路１０に制御信号を出力する。Ｄ／Ａ変換回路１０では、入力段同調フィルタ３の可変容量ダイオードに入力する入力同調電圧を制御し、所望の周波数信号を得ている。
【００２０】
ここで、本発明の実施例２にかかるチューナは、まず、ミキサ５で得られた中間周波数信号を帯域フィルタ１４に通し、この中間周波数信号を中間周波数増幅器１５で増幅する。次に、第２検波回路１６で中間周波増幅器の出力レベルを検出する。さらに、演算回路１７において検波回路１６の出力からＳメータ成分出力を得て、Ｓメータ成分に基づいて、入力段同調フィルタの可変容量ダイオードに入力する電圧が最適化されるように、Ｄ／Ａ変換回路の出力電圧を調整するための電圧を加算器１８に出力する。具体的には、Ｓメータ電圧が最大となるように設定することにより、入力段同調フィルタの中心周波数がｆｄとほぼ一致するようになる。加算器１８ではＤ／Ａ変換回路の出力電圧と演算回路１８の出力電圧を加算し、入力段同調フィルタの可変容量ダイオードに入力する。
【００２１】
このように、Ｓメータ電圧に基づいて、入力段同調フィルタの可変容量ダイオードに入力する電圧を制御することにより、実施例１に示した場合と同様に、希望信号周波数の出力電圧の抑圧を改善することができ、妨害信号周波数に対するＳ／Ｎ比を高くすることができる。
【実施例３】
【００２２】
次に、本発明の実施例３にかかる発明について図面を参照して説明する。実施例３にかかる発明は、実施例２で説明したＳメータを用いた入力同調電圧の制御において、妨害信号がある場合に誤動作を防ぐ構成を有する点を特徴とする。図７は、実施例３にかかるチューナのブロック図である。図６に示した実施例２のチューナと同一の構成要素には同一の符号を付している。
まず、アンテナ１で受信した信号が、ＡＧＣ回路２に入力され、ＡＧＣ回路２で制御された信号は、入力段同調フィルタ３に入力される。次に、受信周波数から中間周波数を得るために、受信信号と局部発信機４の信号とをミキサ５で混合し、所定の中間周波数信号に変換する。
【００２３】
また、受信信号の一部はレベル検波回路６に入力されて、受信信号の出力レベルを検出する。このレベル検波回路６の出力信号は、ＡＧＣ電圧設定回路７に入力され、ＡＧＣ回路２に入力するＡＧＣ電圧を設定する。
【００２４】
また、マイコン８には受信周波数情報が入力され、マイコン８内の計算部９で、Ｄ／Ａ変換回路１０に制御信号を出力する。Ｄ／Ａ変換回路１０では、入力段同調フィルタ３の可変容量ダイオードに入力する入力同調電圧を制御し、所望の周波数信号を得ている。
【００２５】
さらに、ミキサ５で得られた中間周波数信号に対して、帯域フィルタ１４を通した後、この中間周波数信号を中間周波数増幅器１５で増幅する。次に、第２検波回路１６で中間周波増幅器の出力レベルを検出する。次に、演算回路１７において検波回路１６の出力からＳメータ成分出力を得て、Ｓメータ成分に基づいて、入力段同調フィルタの可変容量ダイオードに入力する電圧が最適化されるように、Ｄ／Ａ変換回路の出力電圧を調整するための電圧を加算器１８に出力する。具体的には、Ｓメータ電圧が最大となるように設定することにより、入力段同調フィルタの中心周波数がｆｄとほぼ一致するようになる。加算器１８ではＤ／Ａ変換回路の出力電圧と演算回路１８の出力電圧を加算し、入力段同調フィルタの可変容量ダイオードに入力する。
【００２６】
さらに、第２検波回路１６の出力信号をハイパスフィルタ１９に入力し、ＡＣ成分を検出する。このＡＣ成分を第３検波回路２０に入力し、所定の閾値Vthを超えているか否かを判断する。ＡＣ成分がVthを超えている場合は、希望信号に隣接した妨害信号が存在すると判断して、Ｓメータによる入力同調電圧の制御を停止する。
【００２７】
上述した妨害信号とＳメータによる制御との関係について、さらに図面を用いて説明する。図８は、ＡＧＣ電圧に応じて入力同調電圧を制御した場合の信号の周波数特性を示す。図８（ａ）に、Ｓメータによる制御を行なう前の周波数特性と、希望信号周波数ｆｄ及び妨害信号周波数ｆｕとの関係を示す。ＡＧＣ電圧によって希望信号周波数ｆｄでの出力が抑圧され、妨害信号周波数ｆｕがフィルタ帯域の中央付近に存在している。次に、実施例２に示したようにＳメータによる電圧制御を行なうと、妨害信号周波数ｆｕ側にフィルタ帯域が移動し、希望信号周波数ｆｄが減衰することとなり、Ｓ／Ｎ比がさらに悪化するという誤動作を生じることとなる。そこで、実施例３にかかるチューナにおいては、この誤動作を防止するために、妨害信号の大きさを第３検波回路２０でモニタしておき、妨害信号の大きさが閾値Vthを超えた場合には妨害信号が存在すると判断して、Ｓメータによる電圧制御を行なわず、誤動作が生じるのを防止している。図８（ｃ）は、Ｓメータによる電圧制御を停止した場合の周波数特性とｆｄ、ｆｕとの関係を示す。ＡＧＣ電圧の印加によりｆｄでの出力は抑圧しているが、Ｓメータ電圧による制御を行なった図８（ｂ）の場合に比べて、ｆｄでの出力は大きくなっており、誤動作が防止できることがわかる。
【００２８】
以上説明した通り、実施例３にかかる発明によれば、妨害信号が存在しない場合にはＳメータの出力によってＡＧＣ電圧を制御することにより希望信号の抑圧を防止できる一方、妨害信号をモニタしておき妨害信号が一定以上の大きさの場合はＳメータによるＡＧＣ電圧の制御を停止することにより、誤動作を防止できる。
【図面の簡単な説明】
【００２９】
【図１】従来のチューナの回路構成を示した平面図である。
【図２】従来技術によるＡＧＣを行なわない場合と行なった場合の入力段同調フィルタの出力信号の周波数特性を示す。
【図３】本発明の実施例１にかかるチューナの回路構成を示す。
【図４】ＡＧＣ電圧とＤＡＣ制御電圧との対応テーブルの一例を示す。
【図５】本発明により入力同調電圧を調整する前後の入力段同調フィルタの出力信号の周波数特性を示す。
【図６】本発明の実施例２にかかるチューナの回路構成を示す。
【図７】本発明の実施例３にかかるチューナの回路構成を示す。
【図８】本発明による誤動作防止機能実行前後の入力段同調フィルタの出力信号の周波数特性を示す。
【符号の説明】
【００３０】
１    アンテナ
２    ＡＧＣ回路
３    入力段同調フィルタ
４    局部発信器
５    ミキサ
６    第１検波回路
７    ＡＧＣ電圧設定回路
８    マイコン
９    計算部
１０    Ｄ／Ａ変換回路
１１    抵抗
１２    抵抗
１３    メモリ
１４    帯域フィルタ
１５    中間周波増幅器
１６    第２検波回路
１７    演算回路
１８    加算器
１９    ハイパスフィルタ
２０    第３検波回路
【図１】
2009206578.tif 000003
【図２】
2009206578.tif 000004
【図３】
2009206578.tif 000005
【図４】
2009206578.tif 000006
【図５】
2009206578.tif 000007
【図６】
2009206578.tif 000008
【図７】
2009206578.tif 000009
【図８】
2009206578.tif 000010